(57)【特許請求の範囲】
【請求項１】
上レールに設けられた３条の溝部と下レールに設けられた３条の溝部とによりそれぞれ案内される第一、第二、第三の３枚の扉を連結器によって連動可能とし、前記第一又は第三の扉を開閉移動すると前記第二の扉も連動して移動するようにした、三連式引戸において、
前記第二の扉の上面に制動装置を装着すると共に、
当該三連式引戸の閉戸状態における前記第二の扉の位置において前記制動装置と対応する前記上レールの位置にのみ、前記制動装置を作動させるブレーキを設けたことを特徴とする三連式引戸。
【請求項２】
前記ブレーキがブレーキ片であると共に前記制動装置に前記ブレーキ片と摺接する制動部材を設けたことを特徴とする請求項１記載の三連式引戸。
【請求項３】
三枚の扉が連結器によって連動可能とした三連式引戸において、
第二の扉の上面に制動装置を装着すると共に、当該三連式引戸の閉戸状態における前記第二の扉の位置において前記制動装置と対応する上レールの位置に前記制動装置を作動させるブレーキを設けてあり、
前記ブレーキがブレーキ片であると共に前記制動装置に前記ブレーキ片と摺接する制動部材を設け、
前記制動部材は、その摺接面を前記第二の扉の両走行方向へ傾斜した突曲面とすると共に、前記第二の扉への固定部材に回転可能に立設した調整用ボルトの回転によって前記固定部材に昇降自在とされている、
ことを特徴とする三連式引戸。
【発明の詳細な説明】
【０００１】
【発明の属する技術分野】
本発明は、戸車や吊り車によって走行する三枚の扉が連結器によって連動可能に連結された三連式引戸に関する。
【０００２】
【従来技術】
従来より、図６に示すように、柱５１ａと柱５１ｂの間に建て付けられる三枚の扉５２ａ、５２ｂ、５２ｃから成る三連式引戸５０は、ボス５３及び該ボス５３と当接する当り部材５４とから成る連結器５５を有し、ボス５３及び当たり部材は各扉５２ａ、５２ｂ、５２ｃの所要位置に配設してあり、開き状態から第一の扉５２ａを移動させると第二の扉５２ｂ、第三の扉５２ｃが連結器５５により連動するようになっている。
【０００３】
上記従来の三連式引戸５０は、閉戸する為に開いた状態から、第一の扉５２ａを移動させると、第一の扉５２ａの当り部材５４と第二の扉５２ｂのボス５３とが当接し、その時の衝撃により第二の扉５２ｂ及びそれに連なる第三の扉５２ｃに慣性力が生じ、第三の扉２０と柱５１ｂとの間に隙間Ｓが出来てしまうという問題があった。
【０００４】
このような隙間Ｓの発生を防止する一つの手段として、例えば、特開平１０−１９６２２２号公報には、図７に模試的に示すように、中間の第二の扉５２ｂの上面両端部にギヤローラ５６、５６を設け、このギヤローラ５６、５６に無端ベルト５７を捲装し、この無端ベルト５７と第一、第三の扉５２ａ、５２ｃを固定具５８、５８を介して止着してあり、第一、第三の扉５２ａ、５２ｃの何れか一つの扉を開閉することにより、回転する無端ベルト５７を介して他の扉もスムースに連動するようにした装置が提案されている。
【０００５】
しかしながら、上記の連動装置は、扉の大きさにベルトを合わせて用意する必要があるうえに、装置が複雑で従来の連結器５５に比較してかなり高価になる経済的問題があった。
【０００６】
また、三連式引戸５０に従来の安価な連結器５５を使用しながら、隙間が開くという欠点を補うものとして、図８に示すように、第一の扉５２ａ及び第三の扉５２ｃが当接する各柱５１ａ、５１ｂとの当接面に磁石５９と磁性体６０からなるキャッチ装置６１を設け、キャッチ装置６１の磁着力によって隙間の発生を防止するようにした三連式引戸も知られている。
【０００７】
このキャッチ装置６１によるものは、扉を閉じる場合は問題がないが、扉を開くときにはキャッチ装置６１による抵抗が大きいことから扉の初動に強い力を必要とする。従って、幼い子供やお年寄りには負担が大きくスムースに開くことが難しかった。
【０００８】
【発明が解決しようとする課題】
本発明は、上記の問題を解決するためになされたもので、扉の開閉がスムースに行えて、且つ扉と柱の間に隙間のできない安価な装置による三連式引戸を提供することにある。
【０００９】
【課題を解決するための手段】
本発明は、上レールに設けられた３条の溝部と下レールに設けられた３条の溝部とによりそれぞれ案内される第一、第二、第三の３枚の扉を連結器によって連動可能とし、前記第一又は第三の扉を開閉移動すると前記第二の扉も連動して移動するようにした、三連式引戸において、前記第二の扉の上面に制動装置を装着すると共に、この三連式引戸の閉戸状態における前記第二の扉の位置において前記制動装置と対応する前記上レールの位置にのみ、前記制動装置を作動させるブレーキを設けることを特徴とする。
【００１０】
上記の構成としたことにより、引戸を閉めるときは、第二の扉がブレーキの位置で制動されることから第二の扉と連動可能な第三の扉が第二の扉の慣性力によって牽引されることがなく、第三の扉の移動による隙間の発生が防止される。また、引戸を開くときは、第一の扉の初動がスムースに行えると共に第一の扉の慣性力で第二の扉の制動が容易に解除され、扉の開き移動を円滑に行うことができる。
【００１１】
ブレーキがブレーキ片であると共に制動装置に前記ブレーキ片と摺接する制動部材を設けた構成とすることが好ましい。
【００１２】
また、本発明は、三枚の扉が連結器によって連動可能とした三連式引戸において、第二の扉の上面に制動装置を装着すると共に、当該三連式引戸の閉戸状態における前記第二の扉の位置において前記制動装置と対応する上レールの位置に前記制動装置を作動させるブレーキを設けてあり、前記ブレーキがブレーキ片であると共に前記制動装置に前記ブレーキ片と摺接する制動部材を設け、前記制動部材は、その摺接面を前記第二の扉の両走行方向へ傾斜した突曲面とすると共に、前記第二の扉への固定部材に回転可能に立設した調整用ボルトの回転によって前記固定部材に昇降自在とされていることを特徴とする。これにより、扉の移動を滑らかに制動し、且つ制動装置による扉の制動力を容易に調整することができる。
【００１３】
【発明の実施の形態】
以下、本発明の好適な実施の形態を添付図面を参照しながら詳細に説明する。
【００１４】
図１乃至図４は、本発明の三連式引戸における吊り車を使用した吊り戸による例を示しており、三連式引戸１を構成する三枚の扉２ａ、２ｂ、２ｃは、天井３０に固定された吊り戸用の上レール３１と、前記上レール３１に対応して床３２に敷設された下レール３３と、上レール３１と下レール３３の前後端に立設された柱３４ａ、３４ｂとによって枠状に形成された領域内に移動可能に建て付けられている。
【００１５】
上レール３１には、三枚の扉２ａ、２ｂ、２ｃに対応して三条の走行溝部３１ａ、３１ｂ、３１ｃが長手方向に平行して垂設されており、下レール３３の上面には、三枚の扉２ａ、２ｂ、２ｃに対応して三条のガイド溝部３３ａ、３３ｂ、３３ｃが長手方向に平行して凹設されている。
【００１６】
それぞれの扉２ａ、２ｂ、２ｃの上面両端部には、上レール３１の走行溝部３１ａ、３１ｂ、３１ｃ内を走行する車輪３を有する吊り車９が配設され、下端面には下レール３３のガイド溝部３３ａ、３３ｂ、３３ｃ内を摺動するガイドピン４が垂設されており、三枚の扉２ａ、２ｂ、２ｃは、それぞれ上レール３１の走行溝部３１ａ、３１ｂ、３１ｃと下レール３３のガイド溝部３３ａ、３３ｂ、３３ｃに案内されて前後方向へ走行可能とされている。
【００１７】
また、第一の扉２ａにおける第二の扉２ｂと並行する側面の前後両端部には当たり部材５ａ、５ａが設けられていると共に、第二の扉２ｂにおける第一の扉２ａと並行する側面の前端部には前記当たり部材５ａ、５ａと当接するボス６ａを突設して当たり部材５ａ、５ａとボス６ａとで第一の連結器７が構成されている。また、第二の扉２ｂにおける第三の扉２ｃと並行する側面の前後両端部には当たり部材５ｂ、５ｂが設けられていると共に、第三の扉２ｃにおける前記第二の扉２ｂと並行する側面の前端部には前記当たり部材５ｂ、５ｂと当接するボス６を突設して当たり部材５ｂ、５ｂとボス６とで第二の連結器８が構成されている。この二組の連結器７、８によって三枚の扉２ａ、２ｂ、２ｃが連結可能とされており、第一、第三何れかの扉２ａ、２ｃを開閉移動することにより第二の扉２ｂが連動するように構成されている。
【００１８】
また、第二の扉２ｂの上面中央部には第二の扉２ｂの過剰な走行移動を規制する為の制動装置１０が装着されており、三連式引戸１の閉戸状態における第二の扉２ｂが位置する制動装置１０と対応する上レール３１の下面の位置には制動装置１０と摺接する板状逆台形のブレーキ片３５が取り付けられている。
【００１９】
制動装置１０は、第二の扉２ｂにビス１１によって固定される固定部材１２と、該固定部材１２の中央に一体に屈曲形成された支持部１２ａによって回転可能に立設された調整用ボルト１３と、該調整用ボルト１３に螺合し調整用ボルト１３の回転によって昇降自在に前記固定部材１２へ組み付けられた制動部材１５とから構成されている。
【００２０】
制動部材１５は、ブレーキ片３５と摺接する上方部の摺接面１６が扉の両走行方向へ傾斜した突曲面に形成されていると共に、その下方部は一方開放の台部１７に形成されており、開放部１８側から工具（図示省略）を用いて調整用ボルト１３の調整部１３ａを回すことにより上下動し、ブレーキ片３５との摺接による制動力を調整可能としている。
【００２１】
本実施の形態における三連式引戸１は以上のように構成されており、これを建て付けたとき、図４（ａ）に示すように、第二の扉２ｂに固定されている制動装置１０の摺接面１６とブレーキ片３５との間に隙間があるときは、開放部１８から例えばスパナなどの工具を挿入し、調整部１３ａ（ボルトヘッド）を使って調整用ボルト１３を回転させ、図４（ｂ）に示すように、制動部材１５を上昇させてその摺接面１６をブレーキ片３５に圧接して扉の制動がはたらく適度の圧力に調整する。
【００２２】
この制動装置１０を備えた三連式引戸１を完全に開いた状態から第一の扉２ａを引いて閉戸操作を行うと、第一の連結器７によって第二の扉２ｂを牽引するが、第二の扉２ｂは所定位置でブレーキ片３５により制動装置１０がはたらくことから自身の慣性力が吸収されて所定位置に停止し、走り過ぎることがない。従って、第二の扉２ｂによる慣性力が第二の連結器８を介して第三の扉２ｃに及ぶことがなく、第三の扉２ｃが移動することがないことから、柱３４との間に隙間を発生させることがない。
【００２３】
また、三連式引戸１を閉じた状態から第一の扉２ａを引いて開戸操作を行うと、第一の扉２ａが移動すると共に、その先端部の当たり部材５ａが第一の連結器７を構成する第二の扉２ａのボス６ａに慣性力をもって当接する。この当接するときの衝撃で第二の扉２ｂの制動部材１５による制動は容易に解除される。従って、第二の扉２ｂは開戸するときの通常の力で円滑に移動させることができる。
【００２４】
図５は、戸車２０を使用した本発明の三連式引戸の例を示しており、基本的には既述した実施の形態と同様であるので、先の実施の形態と共通する部分については同一符号を付しその説明を省略する。
【００２５】
この三連式引戸１のそれぞれの扉２ａ、２ｂ、２ｃの上面両端部には、方形のガイド突起２２が突設され、下面両端部には車輪２１を有する戸車２０が埋設されている。そして、第二の扉２ｂの上面中央部には第二の扉２ｂの過剰な走行移動を規制する為の制動装置１０が装着されている。
【００２６】
また、三連式引戸１に対応する上レール３６は、ガイド突起２２が摺動する断面形状逆Ｕ字状の３条のガイド溝部３７ａ、３７ｂ、３７ｃが平行して形成されていると共に、第二の扉２ｂに対応するガイド溝部３７ｂの所定の位置には第二の扉２ｂに装着した制動装置１０と摺接する板状逆台形のブレーキ片３５が取り付けられている。
【００２７】
また、三連式引戸１が走行する下レール３８には車輪２１を案内する走行溝３９ａ、３９ｂ、３９ｃが並設されている。
【００２８】
以上のように、戸車２０で走行する三連式引戸１においても、第二の扉２ｂの上面に制動装置１０を装着することにより、吊り戸による三連式引戸と同様の作用効果を奏することが可能である。その操作は先の実施の形態と同様であるのでその説明は省略する。
【００２９】
【発明の効果】
本発明は、以上説明したような形態で実施され、以下に記載されるような効果を奏する。
【００３０】
本発明によれば、従来公知の簡単な構成の連結器によって連動可能とした三連式引戸における第二の扉の上面に簡単な構造の制動装置を装着し、引戸を閉めたとき、第二の扉がブレーキ片と摺接することにより所定の位置で制動されて第二の扉と連動可能な第三の扉に慣性力が及ばないようにしたので、安価な装置で第三の扉の移動による隙間の発生を防止することができる。
【００３１】
また、第一の扉を開くときの初動がスムースに行えると共に、第一の扉の慣性力で第二の扉の制動を容易に解除することができるので、力の弱いお年寄りや子供でも容易に開閉することができる。
【００３２】
また、制動部材の摺接面を扉の両走行方向へ傾斜した突曲面としたので、扉の移動を滑らかに制動できると共に、扉の側方から工具を使って制動部材を昇降させて制動力を調整できるようにしたので、引戸の建て付け状態や扉の重さに合わせて簡単に微調整することができる。
【図面の簡単な説明】
【図１】本発明の三連式引戸の実施の形態を一部截切して示す正面図。
【図２】図１の三連式引戸を模式的に示す説明図。
【図３】図１の三連式引戸の制動装置の装着された部分を示す斜視図。
【図４】図３において使用された制動装置の（ａ）は未調整状態、（ｂ）は調整後の状態を示す部分断面図。
【図５】本発明の三連式引戸の別の実施の形態を一部截切して示す正面図。
【図６】従来例を示す説明図。
【図７】別の従来例を示す説明図。
【図８】別の従来例を示す説明図。
【符号の説明】
１  三連式引戸，２ａ  第一の扉，２ｂ  第二の扉，２ｃ  第三の扉，７  第一の連結器，８  第二の連結器，１０  制動装置，１２  固定部材，１３  調整用ボルト，１５  制動部材，１６  摺接面，３１  上レール，３５  ブレーキ片，
【図１】
0004630507.tif 000002
【図２】
0004630507.tif 000003
【図３】
0004630507.tif 000004
【図４】
0004630507.tif 000005
【図５】
0004630507.tif 000006
【図６】
0004630507.tif 000007
【図７】
0004630507.tif 000008
【図８】
0004630507.tif 000009